(57)【要約】【課題】  軽量の電池装置を提供する。【解決手段】  電池装置は、それぞれ両端が開口した枠状の周壁２１及び周壁の一端に設けられた側壁を有したケース２０と、ケースに収容されているとともに周壁の他端側で露出された電池セル１０とを有し、互いに隣接して設けられた複数の電池１を備えている。隣接した２つの電池１において、一方の電池１の周壁２１の他端と、他方の電池１の周壁２１の一端とは、互いに対向している。【選択図】      図１
2009231143.tif 000002
【特許請求の範囲】
【請求項１】
それぞれ両端が開口した枠状の周壁及び前記周壁の一端に設けられた側壁を有したケースと、前記ケースに収容されているとともに前記周壁の他端側で露出された電池セルとを有し、互いに隣接して設けられた複数の電池を備え、
前記複数の電池の隣接した２つの電池において、一方の電池の周壁の他端と、他方の電池の周壁の一端とは、互いに対向している電池装置。
【請求項２】
前記複数の電池は、それぞれ周壁の一部を開口して形成された通気孔を有している請求項１に記載の電池装置。
【請求項３】
前記複数の電池は、それぞれ前記周壁の一端側に形成された第１嵌合部と、前記周壁の他端に形成された第２嵌合部と、を有し、
前記複数の電池の隣接した２つの電池において、一方の電池の第１嵌合部と、他方の電池の第２嵌合部とは、互いに嵌合されている請求項１に記載の電池装置。
【発明の詳細な説明】
【技術分野】
【０００１】
この発明は、電池装置に関し、特に複数の二次電池で形成された電池装置に関する。
【背景技術】
【０００２】
近年、リチウムイオン二次電池等の二次電池を複数含んだ電池装置は、高電圧、高エネルギー密度を有することから、電気自動車等の電源として注目されている（例えば、特許文献１、２参照）。二次電池は、充放電可能な電池セルと、電池セルを収容したケースとを有している。電池装置は、電圧を増やすため、複数の二次電池を用い、これらを直列に接続して形成されている。
【特許文献１】特許第３０１４２９３号公報
【特許文献２】特許第３３５０１８９号公報
【発明の開示】
【発明が解決しようとする課題】
【０００３】
しかしながら、上記した場合、重量感のある電池装置が形成される。このため、電池装置の軽量化が望まれている。その他、複数の二次電池により、電池装置の大型化を招いてしまうため、電池装置の小型化も望まれている。  
この発明は以上の点に鑑みなされたもので、その目的は、軽量の電池装置を提供することにある。
【課題を解決するための手段】
【０００４】
上記課題を解決するため、本発明の態様に係る電池装置は、
それぞれ両端が開口した枠状の周壁及び前記周壁の一端に設けられた側壁を有したケースと、前記ケースに収容されているとともに前記周壁の他端側で露出された電池セルとを有し、互いに隣接して設けられた複数の電池を備え、
前記複数の電池の隣接した２つの電池において、一方の電池の周壁の他端と、他方の電池の周壁の一端とは、互いに対向している。
【発明の効果】
【０００５】
この発明によれば、軽量の電池装置を提供することができる。
【発明を実施するための最良の形態】
【０００６】
以下、図面を参照しながらこの発明の実施の形態に係る電池装置について詳細に説明する。  
図１及び図２に示すように、電池装置は、複数の電池１で形成されている。ここでは、複数の電池１は二次電池である。電池１は、扁平な矩形状である。電池１は、電池セル１０と、電池セルを収容したケース２０とを有している。
【０００７】
電池セル１０は、扁平な矩形状である。電池セル１０は、外面に突出して形成された正極１１及び負極１２を有している。電池セル１０は、扁平な矩形状のアルミニウム筐体の内部に非水電解液を密封して形成されている。
【０００８】
ケース２０は、両端が開口した枠状の周壁２１と、周壁２１の一端に設けられた側壁２２とを有している。ここでは、周壁２１は矩形枠状に形成され、側壁２２は矩形状に形成されている。周壁２１は、矩形状の２つの側壁２３と、矩形状の上壁２４と、底壁２５とが一体になって形成されている。ケース２０の上壁２４は、一部に切欠き部を有している。
【０００９】
ケース２０は、電池セル１０を収容している。ケース２０は、周壁２１の他端側で電池セル１０を露出している。ケース２０は、正極１１及び負極１２を露出している。電池１は、正極１１及び負極１２を介して充電及び放電されるものである。
【００１０】
電池１は、周壁２１の一部を開口して形成された通気孔２３ａを有している。ここでは、通気孔２３ａは、両側壁２３の一部をそれぞれ開口してストライプ状に形成されている。通気孔２３ａは電池セル１０に接したケース２０内部の通気路に繋げられ、電池セル１０の冷却に寄与している。
【００１１】
電池１は、周壁２１の一端側に形成された第１嵌合部２６と、周壁２１の他端に形成された第２嵌合部２７とを有している。この実施の形態において、第１嵌合部２６は、側壁２２に設けられているとともに、側壁２３の延出した方向に沿って延びたクサビ状の突起で形成されている。第２嵌合部２７は、周壁２１の他端に設けられているとともに、側壁２３の延出した方向に沿って延びたクサビ状の切欠きで形成されている。
【００１２】
複数の電池１は、一列に並べられている。電池１は、互いに隣接して設けられている。隣接した２つの電池１において、一方の電池１の周壁２１の他端と、他方の電池１の周壁２１の一端とは、互いに対向している。図示しないが、ここでは、電池１は直列に接続されている。隣接した２つの電池１において、一方の電池１の正極１１と、他方の電池１の負極１２とが接続されている。
【００１３】
図１乃至図３に示すように、隣接した２つの電池１において、一方の電池１の第１嵌合部２６と、他方の電池１の第２嵌合部２７とは、側壁２３の延出した方向に沿って互いに嵌合されている。隣接した２つの電池１は連結されている。このため、隣接した２つの電池１の電池セル１０は、１枚の側壁２２を挟んで対向している。なお、図示しないが、電池装置の端の電池１の周壁２１の他端は、第１嵌合部２６を有した側壁で覆われている。
【００１４】
以上のように構成された電池装置によれば、電池１は、周壁２１の他端が開口したケース２０と、ケース２０に収容された電池セル１０とを有している。隣接した２つの電池１において、一方の電池１の周壁２１の他端と、他方の電池１の周壁２１の一端とは、互いに対向している。隣接した２つの電池１の電池セル１０は、１枚の側壁２２を挟んで対向している。
【００１５】
このため、上記した電池装置は、周壁２１の両端に側壁２２が設けられている場合に比べ、軽量化を図ることができる。周壁２１の他端に側壁２２を設けずにケース２０を形成できる分、製造コストの低減を図ることができる。
【００１６】
また、周壁２１の他端に側壁２２を設けずにケース２０を形成できる分、電池装置の小型化を図ることができる。又は、周壁２１の他端に側壁２２を設けずにケース２０を形成できる分、通気孔２３ａ及びケース２０内部の通気路のスペースを十分に確保することも可能であり、この場合、電池セル１０の冷却効率を一層高めることができる。
【００１７】
電池１は、第１嵌合部２６及び第２嵌合部２７を有している。隣接した２つの電池１において、一方の電池１の第１嵌合部２６と、他方の電池１の第２嵌合部２７とは、互いに嵌合されている。ボルト止めやネジ止めすることなく、複数の電池１を連結できるため、製品を容易に組立てることができる。上記ボルトやネジ等の製造部品を削減できるため、製造コストの低減を図ることもできる。  
上記したことから、軽量の電池装置を接続関係が明確な電池装置を得ることができる。さらには、小型の電池装置又は冷却効率に優れた電池装置を得ることができる。
【００１８】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。
【００１９】
電池の第１嵌合部２６及び第２嵌合部２７は上述した実施の形態に限定されるものではなく、種々変形可能である。例えば、図４及び図５に示すように、第１嵌合部２６は、図示しないが、周壁２１の一端側に形成された４つの孔部で形成され、第２嵌合部２７は、周壁２１の他端に形成された４つの突起部で形成されている。なお、突起部に引っかかり部２７ａを設けることにより、隣接した２つの電池１を連結し、固定することができる。そして、組立作業性を向上させることができる。
【００２０】
図６及び図７に示すように、第１嵌合部２６は、図示しないが、周壁２１の一端側に形成された４つの孔部で形成され、第２嵌合部２７は、周壁２１の他端に形成された４つの突起部で形成されている。なお、突起部に引っかかり部２７ａを設けていないが、突起部をテーパ状に形成することにより、第１嵌合部２６と第２嵌合部２７との嵌合を良好に行うことができる。そして、組立作業性を向上させることができる。
【図面の簡単な説明】
【００２１】
【図１】本発明の実施の形態に係る電池装置を示す斜視図。
【図２】上記電池装置の電池を１つ取出して示す分解斜視図。
【図３】上記電池装置を示す斜視図であり、特に、電池の連結状態を示す図。
【図４】本発明の実施の形態に係る電池装置の変形例を示す斜視図。
【図５】図４に示した電池装置を示す斜視図であり、特に、電池の連結状態を示す図。
【図６】本発明の実施の形態に係る電池装置の他の変形例を示す斜視図。
【図７】図６に示した電池装置を示す斜視図であり、特に、電池の連結状態を示す図。
【符号の説明】
【００２２】
１…電池、１０…電池セル、１１…正極、１２…負極、２０…ケース、２１…周壁、２２…側壁、２３…側壁、２３ａ…通気孔、２４…上壁、２５…底壁、２６…第１嵌合部、２７…第２嵌合部。
【図１】
2009231143.tif 000003
【図２】
2009231143.tif 000004
【図３】
2009231143.tif 000005
【図４】
2009231143.tif 000006
【図５】
2009231143.tif 000007
【図６】
2009231143.tif 000008
【図７】
2009231143.tif 000009